(57)【要約】【課題】柱に取り付けられた表示機を切り替える作業時間を短縮することができる表示機切替用器具及び表示機切替方法を実現する。【解決手段】断面略円形の柱Ｐに固定される支持体１０と、柱Ｐを軸心にしてその柱Ｐに回転可能に取り付けられ、支持体１０の上面１０ａに載置される回転体２０とを備え、その回転体２０に、一端部３１ａに表示機１が配設されている取付金具３０（腕金３１、Ｕボルト３２）が接合される接合部２１が設けられている表示機切替用器具１００を用いれば、既設の表示機１を撤去可能な退避位置に速やかに回転移動させることができ、新設する表示機１を所定の設置位置に速やかに回転移動させることができるので、表示機１を切り替える作業時間を短縮することができる。そして、表示機１一機あたりの作業時間を短縮することによって、所定時間内に複数の表示機１の切り替え作業を行うことが可能になる。【選択図】図１
2018118698.tif 000002
【特許請求の範囲】
【請求項１】
表示機が設置される断面略円形の柱に固定され、その柱の軸方向と直交する平滑な上面を有する支持体と、
前記柱を軸心にしてその柱に回転可能に取り付けられ、前記支持体の上面に載置される回転体と、
を備え、
前記回転体には、その一部に前記表示機が配設されている取付金具が接合される接合部が設けられており、その接合部に接合された前記取付金具は、前記柱を挟み込むようにして前記柱に取り付けられ、
前記取付金具が前記柱の周面に対して圧接されることによって前記表示機が前記柱に固定され、前記取付金具の圧接が緩められることによって前記表示機が前記回転体を介して前記柱を軸心に回転可能とされるように構成されていることを特徴とする表示機切替用器具。
【請求項２】
前記回転体は、
前記支持体の上面と摺接する平滑な摺接面を有し、前記接合部が固設されている摺接体と、
内周面側が前記柱の周面に当接するとともに、外周面側に前記摺接体が取り付けられているベアリング体と、
を備えたことを特徴とする請求項１に記載の表示機切替用器具。
【請求項３】
請求項１又は２に記載の表示機切替用器具を用いた表示機切替方法であって、
前記表示機切替用器具によって前記柱に取り付けられている前記表示機を、前記表示機切替用器具の回転体を介して前記柱を軸心に回転させて、第１の位置から第２の位置に移動させて、その表示機の配置を切り替えることを特徴とする表示機切替方法。
【請求項４】
請求項１又は２に記載の表示機切替用器具を用いた表示機切替方法であって、
断面略円形の柱を挟み込むようにして前記柱に取り付けられ、その一部に既設の表示機が配設されている取付金具を前記表示機切替用器具の接合部に接合しつつ、その表示機切替用器具を前記柱に取り付ける第一工程と、
前記表示機切替用器具の回転体を介して前記既設の表示機を前記柱を軸心に回転させて、前記既設の表示機を撤去可能な退避位置に移動させる第二工程と、
を備えたことを特徴とする表示機切替方法。
【請求項５】
前記既設の表示機が配設されている取付金具が接合された前記表示機切替用器具とは別に、他の表示機切替用器具を前記柱に取り付け、新設する表示機が配設されている取付金具を前記他の表示機切替用器具の接合部に接合する第三工程と、
前記他の表示機切替用器具の回転体を介して前記新設の表示機を前記柱を軸心に回転させて、前記新設の表示機を所定の設置位置に移動させる第四工程と、
を備えたことを特徴とする請求項４に記載の表示機切替方法。
【請求項６】
前記第三工程は、前記第二工程よりも前になされる工程であることを特徴とする請求項５に記載の表示機切替方法。
【発明の詳細な説明】
【技術分野】
【０００１】
本発明は、柱に設置される表示機の新旧切り替え作業を行う際に使用する表示機切替用器具と、その表示機切替用器具を使用した表示機切替方法に関する。
【背景技術】
【０００２】
従来、鉄道の進路表示機や信号機などの表示機は、軌道の側方に立設されている柱に、腕金やＵボルトなどからなる取付金具を用いて取り付けられて設置されている（例えば、特許文献１参照。）。
上記特許文献１の取付金具は、上下一対の腕金によって信号機を回転可能に支持する構造を有しており、作業者が信号機の汚損を点検する際に、その作業を行い易くするように信号機の向きを切り替えることが可能になっている。
【先行技術文献】
【特許文献】
【０００３】
【特許文献１】特開２０１３−２４１１２０号公報
【発明の概要】
【発明が解決しようとする課題】
【０００４】
しかしながら、上記特許文献１のような取付金具で柱に取り付けられている信号機を新たな信号機に切り替える場合、Ｕボルトに螺着されているナットを外して古い信号機を取り外すことになるが、長期間螺着されていたナットが錆び付くなどしていると、その取り外し作業に時間を要してしまうことがある。
信号機や進路表示機などの表示機は軌道に沿って複数設置されており、一機あたりの作業時間が長引いてしまっては、所定時間内（例えば、列車の運行がない夜間の限られた短い時間帯）に全ての表示機を交換する切り替え作業を終えることができないので、確実に切り替え作業を終えることができるように、作業員を増員しなければならないという問題があった。
しかも、一機あたりの作業時間の見込みが立たなければ、増員すべき作業員数を適正に判断できないという問題もあった。
【０００５】
本発明の目的は、柱に取り付けられた表示機を切り替える作業時間を短縮することができる表示機切替用器具及び表示機切替方法を提供することである。
【課題を解決するための手段】
【０００６】
上記目的を達成するため、本出願に係る一の発明は、表示機切替用器具であって、
表示機が設置される断面略円形の柱に固定され、その柱の軸方向と直交する平滑な上面を有する支持体と、
前記柱を軸心にしてその柱に回転可能に取り付けられ、前記支持体の上面に載置される回転体と、
を備え、
前記回転体には、その一部に前記表示機が配設されている取付金具が接合される接合部が設けられており、その接合部に接合された前記取付金具は、前記柱を挟み込むようにして前記柱に取り付けられ、
前記取付金具が前記柱の周面に対して圧接されることによって前記表示機が前記柱に固定され、前記取付金具の圧接が緩められることによって前記表示機が前記回転体を介して前記柱を軸心に回転可能とされるように構成されているようにした。
【０００７】
かかる構成の表示機切替用器具であれば、表示機が配設されている取付金具を柱の周面に対して圧接させることによって表示機を柱に固定することができる。また、その取付金具の圧接を緩めることによって柱を軸心に回転体を介して表示機を回転移動させることができる。
【０００８】
柱に取り付けられた表示機の新旧切り替えを行う際、事前に表示機切替用器具を用いて既設の表示機を柱に設置した状態にし、切り替え作業を行うまでは取付金具を柱の周面に対して圧接させて、例えば、既設の表示機を柱の前面側に固定しておく。
そして、切り替え作業を行うにあたり、取付金具の圧接を緩めれば、支持体の上面で回転体が柱を軸心に回転可能になるので、回転体を介して既設の表示機を回転移動させ、その既設の表示機を、例えば柱の後面側の退避位置まで速やかに移動させることができる。
つまり、撤去対象になった既設の表示機を撤去作業を行う退避位置まで速やかに移動させることができれば、柱に取り付けられた表示機を切り替える作業時間を短縮することができる。
【０００９】
また、柱に新設する表示機を表示機切替用器具を用いて表示機を柱に設置した状態にし、切り替え作業を行うまでは取付金具を柱の周面に対して圧接させて、例えば、新設する表示機を柱の後面側に固定しておく。
そして、切り替え作業を行うにあたり、取付金具の圧接を緩めれば、支持体の上面で回転体が柱を軸心に回転可能になるので、回転体を介して新設する表示機を回転移動させ、その新設する表示機を、例えば柱の前面側の所定の設置位置まで速やかに移動させることができる。
つまり、新設する表示機を所定の設置位置まで速やかに移動させることができれば、柱に取り付けられた表示機を切り替える作業時間を短縮することができる。
【００１０】
また、望ましくは、
前記回転体は、
前記支持体の上面と摺接する平滑な摺接面を有し、前記接合部が固設されている摺接体と、
内周面側が前記柱の周面に当接するとともに、外周面側に前記摺接体が取り付けられているベアリング体と、
を備えるようにする。
こうすることで、回転体は支持体の上面で、柱を軸心に好適に回転する。
【００１１】
また、本出願に係る他の発明は、
表示機切替用器具を用いた表示機切替方法であって、
前記表示機切替用器具によって前記柱に取り付けられている前記表示機を、前記表示機切替用器具の回転体を介して前記柱を軸心に回転させて、第１の位置から第２の位置に移動させて、その表示機の配置を切り替えるようにした。
こうすることで、柱に取り付けられた表示機を切り替える作業時間を短縮することができる。
例えば、第１の位置である退避位置から第２の位置である所定の設置位置に表示機の配置を切り替えたり、第１の位置である所定の設置位置から第２の位置である退避位置に表示機の配置を切り替えたりする作業時間を短縮することができる。
【００１２】
また、本出願に係る他の発明は、
表示機切替用器具を用いた表示機切替方法であって、
断面略円形の柱を挟み込むようにして前記柱に取り付けられ、その一部に既設の表示機が配設されている取付金具を前記表示機切替用器具の接合部に接合しつつ、その表示機切替用器具を前記柱に取り付ける第一工程と、
前記表示機切替用器具の回転体を介して前記既設の表示機を前記柱を軸心に回転させて、前記既設の表示機を撤去可能な退避位置に移動させる第二工程と、
を備えるようにした。
【００１３】
撤去対象になった既設の表示機が配設されている取付金具を表示機切替用器具の接合部に接合しつつ、その表示機切替用器具を柱に取り付けておけば、既設の表示機を撤去可能な退避位置まで速やかに回転移動させることができる（例えば、既設の表示機を柱の前面側から柱の後面側の退避位置まで回転移動させることができる）ので、柱に取り付けられた表示機を切り替える作業時間を短縮することができる。
【００１４】
また、望ましくは、
前記既設の表示機が配設されている取付金具が接合された前記表示機切替用器具とは別に、他の表示機切替用器具を前記柱に取り付け、新設する表示機が配設されている取付金具を前記他の表示機切替用器具の接合部に接合する第三工程と、
前記他の表示機切替用器具の回転体を介して前記新設の表示機を前記柱を軸心に回転させて、前記新設の表示機を所定の設置位置に移動させる第四工程と、
を備えるようにする。
【００１５】
柱に取り付けられた他の表示機切替用器具に、新設する表示機が配設されている取付金具を接合して、その新設する表示機を柱に取り付けておけば、新設する表示機を所定の設置位置まで速やかに回転移動させることができる（例えば、新設の表示機を柱の後面側から柱の前面側の所定の設置位置まで回転移動させることができる）ので、柱に取り付けられた表示機を切り替える作業時間を短縮することができる。
【００１６】
また、望ましくは、
前記第三工程は、前記第二工程よりも前になされる工程であるようにする。
こうすることで、既設の表示機の撤去と、新設する表示機の設置を好適に行うことができる。
【発明の効果】
【００１７】
本発明によれば、柱に取り付けられた表示機を切り替える作業時間を短縮することができる。
【図面の簡単な説明】
【００１８】
【図１】本実施形態の表示機切替用器具を用いて表示機を柱に設置した状態を示す斜視図である。
【図２】本実施形態の表示機切替用器具を用いて表示機を柱に設置した状態を示す側面図である。
【図３】本実施形態の表示機切替用器具の回転体を示す斜視図（ａ）と、その回転体のベアリング体を示す斜視図（ｂ）と、本実施形態の表示機切替用器具の支持体を示す斜視図（ｃ）である。
【図４】本実施形態の表示機切替用器具の回転体を示す側面図（ａ）と、正面図（ｂ）である。
【図５】上下一対の取付金具によって柱に設置されている既設の表示機を示す側面図である。
【図６】一対の表示機切替用器具を柱に取り付けた状態を示す側面図である。
【図７】一対の表示機切替用器具を介して新設する表示機を柱に取り付けた状態を示す側面図である。
【図８】既設の表示機を退避位置に回転移動させ、新設する表示機を所定の設置位置に回転移動させた状態を示す側面図である。
【図９】既設の表示機とその取付金具を撤去し、新たな表示機が柱に設置された状態を示す側面図である。
【図１０】表示機切替方法に関する他の実施例を示す側面図である。
【発明を実施するための形態】
【００１９】
以下、図面を参照して、本発明に係る表示機切替用器具及び表示機切替方法の実施形態について詳細に説明する。但し、以下に述べる実施形態には、本発明を実施するために技術的に好ましい種々の限定が付されているが、本発明の範囲を以下の実施形態及び図示例に限定するものではない。
【００２０】
本実施形態の表示機切替用器具１００は、図１、図２、図３（ａ）（ｂ）（ｃ）、図４（ａ）（ｂ）に示すように、進路表示機１（以下、表示機１と呼ぶ。）が設置される断面略円形の柱Ｐに固定され、その柱Ｐの軸方向と直交する平滑な上面１０ａを有する支持体１０と、柱Ｐを軸心にして柱Ｐに回転可能に取り付けられ、支持体１０の上面１０ａに載置される回転体２０と、を備えている。
また、回転体２０には、その一部に表示機１が配設されている取付金具３０が接合される接合部２１が設けられており、その接合部２１に接合された取付金具３０は、柱Ｐを挟み込むようにして柱Ｐに取り付けられている。なお、接合部２１には、取付金具３０（後述する腕金３１とＵボルト３２）を接合するための孔２１ａが形成されている。
【００２１】
この表示機切替用器具１００は、柱Ｐに設置される表示機１の新旧切り替え作業を行う際に使用する器具であり、既設の古い表示機１を撤去可能な退避位置に速やかに移動させたり、新設する新しい表示機１を所定の設置位置に速やかに移動させたりするために用いる。
【００２２】
鉄道用の表示機１は、軌道の側方に立設されている柱Ｐに設置されており、列車の運転士に進路を示すための数字や文字などを表示する機器である。
本実施形態では、表示機１の上部と下部にそれぞれ取付金具３０が配設されており、その取付金具３０によって表示機１が柱Ｐに取り付けられている。
【００２３】
取付金具３０は、例えば、腕金３１とＵボルト３２を備えて構成されている。
腕金３１の一端部３１ａに表示機１が配設されており、腕金３１の他端部３１ｂにＵボルト３２がナットＮで接合されるようになっている。なお、腕金３１の他端部３１ｂには、Ｕボルト３２が挿通される孔が形成されている。
この取付金具３０によって表示機１を柱Ｐに取り付ける場合、図５に示すように、腕金３１の他端部３１ｂの孔にＵボルト３２を挿通させるように、腕金３１とＵボルト３２とで柱Ｐを挟み込み、そのＵボルト３２にナットＮを締め込んで、取付金具３０を柱Ｐに固定する。
また、取付金具３０と表示機切替用器具１００を併用して表示機１を柱Ｐに取り付ける場合、取付金具３０におけるＵボルト３２を、腕金３１の他端部３１ｂの孔と表示機切替用器具１００の接合部２１の孔２１ａに挿通させ、そのＵボルト３２と腕金３１とで柱Ｐを挟み込み、Ｕボルト３２にナットＮを締め込んで柱Ｐに固定する（図２参照）。
【００２４】
支持体１０は、図３（ｃ）に示すように、一対の半筒体１１がボルトＢとナットＮで接合されてなる金属製の構造体であり、ボルトＢとナットＮを締結することで柱Ｐに固定されるようになっている。
半筒体１１は、半筒部１２と、半筒部１２の上端と下端にそれぞれ設けられたフランジ部１３とを備えている。
この上側のフランジ部１３の上面が平滑に形成されており、支持体１０の平滑な上面１０ａを成している。
また、半筒部１２は、半筒部１２の内面が柱Ｐの周面に密接するように、柱Ｐの径に相当する曲面を有しており、一対の半筒体１１で柱Ｐを挟持することが可能になっている。
【００２５】
回転体２０は、図３（ａ）に示すように、支持体１０の上面１０ａと摺接する平滑な摺接面２２ａを有し、接合部２１が固設されている摺接体２２と、内周面側が柱Ｐの周面に当接するとともに、外周面側に摺接体２２が取り付けられているベアリング体２３と、を備えている。
【００２６】
摺接体２２は、側面視略コ字形状を呈する金属製の部材であり、その天面部の上面に側面視略Ｌ字形状を呈する金属製の接合部２１がボルトＢとナットＮで接合されている。
また、摺接体２２の底面部の下面が平滑に形成されており、回転体２０の摺接面２２ａを成している。
【００２７】
ベアリング体２３は、図３（ｂ）に示すように、一対のローラーベアリング部２３ａを有している。
ローラーベアリング部２３ａは、上下２枚の円弧板２４と、その２枚の円弧板２４の間に回転自在に支持されている複数（本実施形態では７個）のローラー２５と、円弧状に並んだ複数のローラー２５の列の外周側を覆う外壁板２６と、を備えている。
円弧板２４は、略Ｃ字形状を呈する金属製の平板部材であり、上下２枚の円弧板２４は互いに平行に配されている。
ローラー２５は、円弧板２４と垂直な軸を中心に回転する金属製のローラー部材である。なお、ローラー２５の周面にはウレタンなどの樹脂材料からなる被覆層が設けられていてもよい。
外壁板２６は、金属板が略Ω形状に折り曲げられてなる部材であり、その両端部には挟持端部２６ａが設けられている。挟持端部２６ａには孔２６ｂが形成されている。
【００２８】
このような一対のローラーベアリング部２３ａの円弧の内周側を向い合せ、外壁板２６の挟持端部２６ａを付き合わせるように組み付けることで、略円環状のベアリング体２３となる。
また、ベアリング体２３の外壁板２６の挟持端部２６ａで摺接体２２の側面部を挟持した状態でボルトＢとナットＮで接合するようにして（図３（ａ）参照）、回転体２０が組み立てられる。なお、摺接体２２の側面部にもボルトＢが挿通される孔が形成されている。
この回転体２０におけるベアリング体２３の内周面側に配されている複数（本実施形態では１４個（７個×２））のローラー２５が柱Ｐの周面に当接するようになっている。
また、回転体２０におけるベアリング体２３の外周面側に外壁板２６を介して摺接体２２が取り付けられている。
【００２９】
そして、図１、図２に示すように、表示機切替用器具１００の接合部２１に取付金具３０を接合し、取付金具３０と表示機切替用器具１００を併用して表示機１を柱Ｐに取り付けた状態で、取付金具３０の腕金３１とＵボルト３２を柱Ｐの周面に対して圧接するように、Ｕボルト３２に螺着したナットＮを締め付けることによって、表示機１が柱Ｐに固定されるようになっている。
例えば、建築限界外にある所定の設置位置で、列車の運転士が表示機１の表示面を好適に視認できる向きに合された表示機１が柱Ｐに固定される。
【００３０】
また、接合部２１に接合されている取付金具３０（腕金３１、Ｕボルト３２）の圧接を緩めるように、Ｕボルト３２に螺着したナットＮを緩めることによって、表示機１が回転体２０を介して柱Ｐを軸心に回転可能になる。
回転体２０を介して表示機１を回転させる際、回転体２０（摺接体２２）の摺接面２２ａが、支持体１０の上面１０ａを滑るように回転するようになっている。
【００３１】
次に、本実施形態の表示機切替用器具１００を使用した表示機切替方法について説明する。
【００３２】
図５に示すように、既設の表示機１は、上下一対の取付金具３０によって柱Ｐに取り付けられて設置されている。
この既設の表示機１を撤去して、新たな表示機１を設置する切り替え作業を行うにあたり、既設の表示機１を速やかに撤去可能とするため、予め表示機切替用器具１００を取り付けておく。
つまり、図２に示すように、表示機切替用器具１００の接合部２１に取付金具３０を接合し、取付金具３０と表示機切替用器具１００を併用して表示機１を柱Ｐに取り付けた状態にする。
【００３３】
表示機切替用器具１００の取り付けは、上下一対の取付金具３０の一方に対し行った後、他方に対し行うように、上下１つずつ行う。
具体的には、上下いずれか一方の取付金具３０のＵボルト３２に螺着されているナットＮを外し、そのＵボルト３２に摺接体２２に固設されている接合部２１を組み付ける。Ｕボルト３２に接合部２１を組み付けた後、一旦外したナットＮをそのＵボルト３２に再度螺着して、取付金具３０（腕金３１、Ｕボルト３２）を柱Ｐの周面に対して圧接する。
次いで、その摺接体２２を挟むように一対のローラーベアリング部２３ａを組み付ける。このとき、一対のローラーベアリング部２３ａは柱Ｐを挟み込む配置にある。
そして、摺接体２２を挟んだ一対のローラーベアリング部２３ａをボルトＢとナットＮで接合してベアリング体２３を組み立てるようにすれば、柱Ｐに回転体２０が取り付けられた状態となる。
【００３４】
次いで、この回転体２０を下支えするように、一対の半筒体１１を柱Ｐに組み付け、ボルトＢとナットＮで接合してなる支持体１０を取り付ける。このとき、回転体２０の摺接面２２ａと支持体１０の上面１０ａを密接させている。
このような手順で、一方の取付金具３０と表示機切替用器具１００を接合するとともに、その表示機切替用器具１００の柱Ｐへの取り付けが完了する。
また、他方の取付金具３０に対しても同様の手順で表示機切替用器具１００を接合し、その表示機切替用器具１００を柱Ｐに取り付ける。
こうして、図２に示すように、取付金具３０と表示機切替用器具１００を併用して、既設の表示機１を柱Ｐに取り付けた状態にする。
なお、柱Ｐへ表示機切替用器具１００を取り付ける際、表示機切替用器具１００が接合される取付金具３０が機能しない状態になるので、表示機１を支える保持構造物を一時的に設置することが好ましい。
【００３５】
次に、既設の表示機１が配設されている取付金具３０が接合されている表示機切替用器具１００とは別の表示機切替用器具１００を一対柱Ｐに取り付ける。
具体的には、一対の半筒体１１を柱Ｐに組み付け、ボルトＢとナットＮで接合してなる支持体１０を取り付ける。
その支持体１０の上面１０ａに、接合部２１が固設されている摺接体２２を載置し、その摺接体２２を一対のローラーベアリング部２３ａで挟み、一対のローラーベアリング部２３ａをボルトＢとナットＮで接合してベアリング体２３を組み立てるようにして、柱Ｐに回転体２０を取り付ける。
このような手順で、図６に示すように、一対の表示機切替用器具１００を柱Ｐに取り付ける。
【００３６】
次いで、柱Ｐに取り付けた一対の表示機切替用器具１００の接合部２１に、新たに設置する小型の表示機１が一端部に配設されている腕金３１の他端部を合わせ、その他端部の孔と接合部２１の孔２１ａにＵボルト３２を挿通して、Ｕボルト３２と腕金３１とで柱Ｐを挟み込むようにＵボルト３２を組み付け、そのＵボルト３２にナットＮを螺着する。そのナットＮを締め込んで、取付金具３０（腕金３１、Ｕボルト３２）を柱Ｐの周面に対して圧接する。
このような手順で、図７に示すように、新たな小型の表示機１が配設されている取付金具３０を、柱Ｐに取り付けた一対の表示機切替用器具１００の接合部２１に接合する。
このとき、新たな小型の表示機１は、建築限界外にあり、既設の表示機１の妨げにならない位置に固定されている。
【００３７】
このようにして、切り替え対象となっている全ての既設の表示機１の取付金具３０に表示機切替用器具１００を接合するとともに、その既設の表示機１が設置されている全ての柱Ｐに、新たな小型の表示機１が配設されている取付金具３０を表示機切替用器具１００を併用して取り付ける作業を、切り替え作業の事前に行う。
【００３８】
次いで、新旧の表示機１の切り替え作業を行うにあたり、既設の表示機１と新たな小型の表示機１のそれぞれの表示機切替用器具１００の接合部２１に接合されている取付金具３０の圧接を緩めるように、Ｕボルト３２に螺着したナットＮを緩める。
こうすることで、表示機切替用器具１００を用いて柱Ｐに設置された表示機１を、柱Ｐを軸心に回転体２０を介して回転可能にする。
そして、図８に示すように、表示機切替用器具１００の回転体２０を介して既設の表示機１を柱Ｐを軸心に回転させ、その既設の表示機１を撤去可能な退避位置に移動させる。（図中、柱Ｐの左側から右側に既設の表示機１を回転移動させる。）
また、表示機切替用器具１００の回転体２０を介して新たな小型の表示機１を柱Ｐを軸心に回転させ、新設する表示機１を所定の設置位置に移動させる。（図中、柱Ｐの右側から左側に新設の表示機１を回転移動させる。）
なお、既設の表示機１の移動と新たな小型の表示機１の移動は、どちらが先でもよく、また同時に移動させるようにしてもよい。
それら表示機１を所定位置に移動させた後、Ｕボルト３２にナットＮを締め込んで、取付金具３０（腕金３１、Ｕボルト３２）を柱Ｐの周面に対して圧接し、表示機１を柱Ｐに固定する。
なお、新設する表示機１を所定の設置位置（列車の運転士が表示機１の表示面を好適に視認できる位置）に固定した段階で、実質的な切り替え作業は終えている。
【００３９】
次いで、図９に示すように、退避位置に移動させた既設の表示機１とその取付金具３０を柱Ｐから取り外すとともに、既設の表示機１の取付金具３０に接続されていた表示機切替用器具１００を柱Ｐから取り外すことで、新旧の表示機１の切り替え作業を終えることができる。
なお、退避位置に移動させた既設の表示機１とその取付金具３０は、建築限界の外にあるので、直ちに撤去しなくてもよく、後日撤去するようにしてもよい。
【００４０】
また、新たな小型の表示機１の取付金具３０に接合されている表示機切替用器具１００は、次回の新旧切り替え作業のため、図９に示すように、そのまま取り付けておいてもよい。
また、上述した表示機切替用器具１００の取り付け手順とは逆の手順で表示機切替用器具１００を柱Ｐから取り外し、新たな小型の表示機１が配設されている取付金具３０によって、その新設した表示機１を柱Ｐに設置するようにしてもよい。
【００４１】
このように、本実施形態の表示機切替用器具１００を用いれば、既設の表示機１を撤去可能な退避位置に速やかに移動させることができ、新設する表示機１（新たな小型の表示機１）を所定の設置位置に速やかに移動させることができるので、表示機１を切り替える作業時間を短縮することができる。
そして、表示機１一機あたりの作業時間を短縮することによって、所定時間内に複数の表示機１の切り替え作業を行うことが可能になる。
【００４２】
つまり、既設の表示機１の取付金具３０に、事前に表示機切替用器具１００を接続しておけば、切り替え作業時にＵボルト３２やナットＮの錆び付きによるトラブルは起こらないので、表示機１の切り替えの作業時間が長引いてしまうことがない。
また、建築限界の外の退避位置に既設の表示機１とその取付金具３０を移動させておけば、作業員のスケジュールに合わせてそれらを後日撤去するようにしてもよいので、余裕を持って表示機１の切り替え作業を行うことができる。
【００４３】
なお、本発明は上記実施形態に限られるものではない。
新旧の表示機１の切り替え作業を行う際、例えば、図１０に示すように、表示機固定器具４０を柱Ｐに固定し、その表示機固定器具４０を使って新たな小型の表示機１の設置を行うようにしてもよい。
表示機固定器具４０は、柱Ｐに固定された状態で、柱Ｐを挟んだ両側に表示機設置用のフック部４１を配する構造を有している。
【００４４】
そして、表示機１の切り替え作業を行うにあたり、既設の表示機１の取付金具３０に表示機切替用器具１００を接合した後、表示機固定器具４０を柱Ｐに固定し、その表示機固定器具４０の一方のフック部４１（図中、右側のフック部４１）に新たな小型の表示機１を設置する。このとき、新たな小型の表示機１は、建築限界外にあり、既設の表示機１の妨げにならない位置に設置されている。
次いで、表示機切替用器具１００の回転体２０を介して既設の表示機１を柱Ｐを軸心に回転させ、その既設の表示機１を撤去可能な退避位置に移動させ、表示機固定器具４０の他方のフック部４１（図中、左側のフック部４１）に新たな小型の表示機１を移設し設置するようにして、表示機１の新旧切り替え作業を行うことができる。
【００４５】
このようにしても、既設の表示機１を撤去可能な退避位置に速やかに移動させることができ、新設する表示機１（新たな小型の表示機１）を所定の設置位置に速やかに移動させることができるので、表示機１を切り替える作業時間を短縮することができる。
【００４６】
なお、以上の実施の形態においては、複数のローラー２５を備えた転がり軸受（ローラーベアリング）であるベアリング体２３を有する回転体２０を例に説明したが、本発明はこれに限定されるものではなく、例えば、滑り軸受のベアリング体を有する回転体２０などであってもよい。
【００４７】
また、以上の実施の形態においては、既設の表示機１を撤去可能な退避位置に速やかに移動させることを主目的に表示機切替用器具１００を使用したが、本発明はこれに限定されるものではなく、例えば、新設する表示機１を所定の設置位置に速やかに移動させることだけに表示機切替用器具１００を使用してもよい。
【００４８】
また、その他、具体的な細部構造等についても適宜に変更可能であることは勿論である。
【符号の説明】
【００４９】
１      表示機（進路表示機）
１０    支持体
１０ａ  上面
１１    半筒体
１２    半筒部
１３    フランジ部
２０    回転体
２１    接合部
２１ａ  孔
２２    摺接体
２２ａ  摺接面
２３    ベアリング体
２３ａ  ローラーベアリング部
２４    円弧板
２５    ローラー
２６    外壁板
２６ａ  挟持端部
２６ｂ  孔
３０    取付金具
３１    腕金
３２    Ｕボルト
４０    表示機固定器具
４１    フック部
１００  表示機切替用器具
Ｐ      柱
Ｂ      ボルト
Ｎ      ナット
【図１】
2018118698.tif 000003
【図２】
2018118698.tif 000004
【図３】
2018118698.tif 000005
【図４】
2018118698.tif 000006
【図５】
2018118698.tif 000007
【図６】
2018118698.tif 000008
【図７】
2018118698.tif 000009
【図８】
2018118698.tif 000010
【図９】
2018118698.tif 000011
【図１０】
2018118698.tif 000012